【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
検出可能なアレイであって、
１つ以上の検体に結合するための複数の表面を有する基質を備え、各表面が、独立して、
前記基質の前記表面に１つ以上の巨大分子を固定するための、前記表面上の１つ以上の基質コーティングと、
前記１つ以上の基質コーティングの少なくとも一部分に固着される１つ以上の巨大分子であって、あるパターンで前記基質コーティング上に配設され、複数の検体に結合するための複数の非偏向性結合部位を含む、前記１つ以上の巨大分子と、を含み、
前記複数の表面のそれぞれの前記１つ以上の基質コーティング上の前記１つ以上の巨大分子の同一性、パターン、または同一性及びパターンの両方が、前記複数の表面の任意の他のものの任意の他の基質コーティング上の前記１つ以上の巨大分子の同一性、パターン、または同一性及びパターンの両方と同一でなく、
前記複数の表面のそれぞれに結合する１つ以上の検体の存在または不在が、複数の検出方法によって検出可能である、前記検出可能なアレイ。
【請求項２】
（ａ）前記１つ以上の基質コーティングが、少なくとも１つのシランまたは少なくとも１つのシロキサンを含む、かつ／または
（ｂ）前記１つ以上の基質コーティングが、１つ以上のアクリロシロキサンを含む、かつ／または
（ｃ）前記１つ以上の基質コーティングが、３−メタクリルオキシプロピルトリメトキシシラン、３−アクリルオキシプロピルトリメトキシシラン、Ｎ−（３−アクリルオキシ−２−ヒドロキシプロピル−３−アミノプロピルトリエトキシシラン、及び３−メタクリルオキシプロピルジメチルクロロシランのうちの１つ以上を含む、
請求項１に記載の前記検出可能なアレイ。
【請求項３】
（ａ）前記１つ以上の巨大分子が、ポリマー、界面活性剤、ナノスフェア、ナノチューブ、デンドリマー、ミクロスフェア、及び重合ミクロスフェアのうちの１つ以上を含む、かつ／または
（ｂ）前記１つ以上の巨大分子が、（メタ）アクリルアミド、（メタ）アクリレート、グリセロール、及びＮ，Ｎ’（アルキレン）ビスアクリルアミドのうちの１つ以上を含む、かつ／または
（ｃ）前記１つ以上の巨大分子が、少なくとも１つの共重合体を含む、かつ／または
（ｄ）前記１つ以上の巨大分子が、２−カルボキシエチルアクリレート、アクリル酸、アクリルアミド、ヒスタミンアクリレート（ｈｉｓｔａｍｉｎｅ  ａｃｒｙｌａｔｅ）、Ｎ−［トリス（ヒドロキシメチル）メチル］アクリルアミド、ヒドロキシプロピルアクリレート、４−ヒドロキシブチルアクリレート、Ｎ−ヒドロキシエチルアクリルアミド、Ｎ，Ｎ，−ジメチルアクリルアミド、Ｎ−（１，１−ジメチル（ｄｉｅｍｔｈｙｌ）−３−オキソブチル）アクリルアミド、Ｎ−イソプロピルアクリルアミド、エチレングリコールフェニルエーテルアクリレート、Ｎ，Ｎ’−メチレンビスアクリルアミド、１，１，１，３，３，３−ヘキサフルオロイソプロピルアクリレート、及びＮ−ｔｅｒｔ−オクチルアクリルアミドからなる群から選択される、１つ以上のモノマーを含む、かつ／または
（ｅ）前記１つ以上の巨大分子が、２−カルボキシエチルアクリレート、アクリル酸、アクリルアミド、ヒスタミンアクリレート、Ｎ−［トリス（ヒドロキシメチル）メチル］アクリルアミド、ヒドロキシプロピルアクリレート、４−ヒドロキシブチルアクリレート、Ｎ−ヒドロキシエチルアクリルアミド、Ｎ，Ｎ，−ジメチルアクリルアミド、Ｎ−（１，１−ジメチル（ｄｉｅｍｔｈｙｌ）−３−オキソブチル）アクリルアミド、Ｎ−イソプロピルアクリルアミド、エチレングリコールフェニルエーテルアクリレート、Ｎ，Ｎ’−メチレンビスアクリルアミド、１，１，１，３，３，３−ヘキサフルオロイソプロピルアクリレート、及びＮ−ｔｅｒｔ−オクチルアクリルアミドからなる群から選択される、かつ／または
（ｆ）前記１つ以上の巨大分子が、少なくとも１つの架橋剤を含む、かつ／または
（ｇ）前記１つ以上の巨大分子が、ビス−アクリルアミド、トリメチロールプロパントリアクリレート、ビスフェノールＡ−ビス（２−ヒドロキシプロピル）アクリレート、及び１−（アクリロイルオキシ）−３−（メタクリロイルオキシ）−３−メタクリロイルオキシ）−２−プロパノールのうちの少なくとも１つを含む、
請求項１〜２のいずれかに記載の前記検出可能なアレイ。
【請求項４】
（ａ）前記１つ以上の巨大分子が、複数の化学的に異なる巨大分子を含み、それぞれの化学的に異なる巨大分子が、前記基質の前記複数の表面の異なる表面に固着される、かつ／または
（ｂ）前記１つ以上の巨大分子が、少なくとも２つの化学的に異なる巨大分子を含み、それぞれの化学的に異なる巨大分子が、前記基質の前記複数の表面の異なる表面に固着される、かつ／または
（ｃ）前記１つ以上の巨大分子が、少なくとも１２個の化学的に異なる巨大分子を含み、それぞれの化学的に異なる巨大分子が、前記基質の前記複数の表面の異なる表面に固着される、かつ／または
（ｄ）前記１つ以上の巨大分子が、少なくとも７２個の化学的に異なる巨大分子を含み、それぞれの化学的に異なる巨大分子が、前記基質の前記複数の表面の異なる表面に固着される、かつ／または
（ｅ）前記１つ以上の巨大分子が、少なくとも９６個の化学的に異なる巨大分子を含み、それぞれの化学的に異なる巨大分子が、前記基質の前記複数の表面の異なる表面に固着される、かつ／または
（ｆ）前記１つ以上の巨大分子が、少なくとも２８８個の化学的に異なる巨大分子を含み、それぞれの化学的に異なる巨大分子が、前記基質の前記複数の表面の異なる表面に固着される、
請求項１〜３のいずれかに記載の前記検出可能なアレイ。
【請求項５】
（ａ）前記複数の検出方法には、メイラード反応、カラメル化、１つ以上のアミン反応性色素との反応、１つ以上のチオール反応性色素との反応、１つ以上の細胞性色素との反応、１つ以上のソルバトクロミック色素との反応、１つ以上の酸性指示薬との反応、１つ以上の塩基性指示薬との反応、１つ以上の標識抗体との反応、発光、表面性状分析、フォトスキャニング、顕微鏡法、反射または透過照明によるフォトスキャニング、反射または透過照明による写真撮影、質量分析法、及び分光法のうちの１つ以上が含まれる、かつ／または
（ｂ）前記基質が、ガラス、プラスチック、金属、複合材料、アクリル、または生物活性基質のうちの１つ以上を含む、
請求項１〜４のいずれかに記載の前記検出可能なアレイ。
【請求項６】
（ａ）前記１つ以上の巨大分子に結合する１つ以上の検体をさらに含む、かつ／または
（ｂ）前記１つ以上の巨大分子に結合する１つ以上の小分子、タンパク質、ペプチド、ヌクレオチド、ヌクレオシド、細菌、ウイルス、真菌細胞、動物細胞、または酵母細胞をさらに含む、
請求項１〜５のいずれかに記載の前記検出可能なアレイ。
【請求項７】
疾患、障害、または状況を診断するためのシステムであって、
第１の検出可能なアレイまたはそれを表すものの１つ以上の画像を受信するための入力要素であって、前記第１の検出可能なアレイまたはそれを表すものは、請求項６に記載の検出可能なアレイまたはそれを表すものである、入力要素と、
複数の第２の検出可能なアレイまたはそれを表すものの１つ以上の画像を含むデータベースであって、前記第２の検出可能なアレイまたはそれを表すものは、請求項６に記載の検出可能なアレイまたはそれを表すものである、データベースと、
前記第１の検出可能なアレイまたはそれを表すものの前記１つ以上の画像を、前記複数の第２の検出可能なアレイまたはそれを表すものの前記１つ以上の画像と比較するための比較要素と、を備える、前記システム。
【請求項８】
（ａ）前記複数の第２の検出可能なアレイまたはそれを表すもののそれぞれが、既知の疾患、障害、または状況状態を有する対象、インビトロ試料、または環境試料と関連付けられる、かつ／または
（ｂ）前記第１の検出可能なアレイまたはそれを表すものが、未知の疾患、障害、または状況状態を有する対象、インビトロ試料、または環境試料と関連付けられる、かつ／または
（ｃ）前記比較要素は、未知の疾患状態を有する対象、インビトロ試料、または環境試料の疾患状態を予測することができる、かつ／または
（ｄ）前記第１の検出可能なアレイまたはそれを表すものの前記１つ以上の画像が、擬似カラー画像である、かつ／または
（ｅ）前記第１の検出可能なアレイまたはそれを表すものの前記１つ以上の画像が、前記基質の前記複数の表面の蛍光、リン光、性状、粗さ、色、紫外線吸収、赤外線吸収、色、または前述のものの１つ以上の欠如のうちの１つ以上を表す、
請求項７に記載の前記システム。
【請求項９】
請求項１〜６のいずれかに記載の第１の検出可能なアレイを対象、インビトロ試料、または環境試料と関連付けられた１つ以上の検体と接触させた結果を、前記対象、インビトロ試料、または環境試料における疾患、障害、または状況状態を判定する指標とする方法であって、
前記第１の検出可能なアレイを、前記１つ以上の検体と接触させることを含む、前記方法。
【請求項１０】
（ａ）接触させるステップが、前記第１の検出可能なアレイを、前記対象の１つ以上の生体試料と接触させることを含む、かつ／または
（ｂ）前記接触させるステップが、前記第１の検出可能なアレイを、前記対象の血液、血清、血漿、尿、糞便、唾液、胆汁、脊髄液、腸液、胃液、涙、溶媒、及び乳、インビトロ試料、または環境試料のうちの少なくとも１つと接触させることを含む、かつ／または
（ｃ）前記接触させるステップが、前記第１の検出可能なアレイを、前記対象の血漿及び尿のうちの１つ以上と接触させることを含む、かつ／または
（ｄ）前記対象、インビトロ試料、または環境試料と関連付けられた前記１つ以上の検体を検出することをさらに含む、かつ／または
（ｅ）前記検出可能なアレイまたはそれを表す１つ以上のものの１つ以上の画像を作製することをさらに含む、かつ／または
（ｆ）前記検出可能なアレイを加熱すること、前記１つ以上の検体のうちの少なくとも１つのメイラード反応を引き起こすこと、前記１つ以上の検体のうちの少なくとも１つをカラメル化すること、前記１つ以上の検体のうちの少なくともを１つ以上のアミン反応性色素と反応させること、前記１つ以上の検体のうちの少なくとも１つを１つ以上のチオール反応性色素と反応させること、前記１つ以上の検体のうちの少なくともを１つ以上のソルバトクロミック色素と反応させること、前記１つ以上の検体のうちの少なくとも１つを１つ以上の細胞性色素と反応させること、前記１つ以上の検体のうちの少なくとも１つを１つ以上の標識抗体と反応させること、前記１つ以上の検体のうちの少なくともを１つ以上の酸性指示薬と反応させること、前記１つ以上の検体のうちの少なくともを１つ以上の塩基性指示薬と反応させること、前記検出可能なアレイの発光またはその不在を検出すること、表面性状分析、フォトスキャニング、顕微鏡法、反射または透過照明を用いたフォトスキャニング、反射または透過照明を用いた写真撮影、質量分析法、及び分光法のうちの１つ以上をさらに含む、
請求項９に記載の前記方法。
【請求項１１】
請求項１〜６のいずれかに記載の検出可能なアレイを作製する方法であって、
前記基質の前記複数の表面を、少なくとも１つの基質コーティングで独立してコーティングして、複数の独立してコーティングされた表面を形成することと、
少なくとも１つの巨大分子または１つ以上のその前駆体を、前記独立してコーティングされた表面のそれぞれに、独立して固着させることと、を含む、方法。
【請求項１２】
（ａ）前記独立してコーティングされる表面のうちの少なくとも１つに、前記１つ以上の前駆体のうちの少なくとも１つを重合させることをさらに含む、かつ／または
（ｂ）前記１つ以上の前駆体にマイクロ波、紫外線光（ｕｌｔｒａｖｉｏｌｅｒｔ  ｌｉｇｈｔ）、可視光、及び熱からなる群から選択される電磁放射線、音、または化学開始剤のうちの１つ以上を適用することによって、前記１つ以上の前駆体のうちの少なくとも１つの重合を開始することをさらに含む、
請求項１１に記載の前記方法。
【請求項１３】
未標識検体を検出する、標識を用いない方法であって、
前記未標識検体を検出可能なアレイと接触させて、前記検体の少なくとも一部分を前記検出可能なアレイに固着させることと、
未標識検体がそこに固着された前記検出可能なアレイを加熱して、前記検体及び前記検出可能なアレイのうちの少なくとも１つの変色をもたらすことと、を含む、前記方法。
【請求項１４】
（ａ）前記検出可能なアレイには、分析的マイクロアレイ、逆相マイクロアレイ、機能性マイクロアレイ、細胞含有マイクロアレイ、発現マイクロアレイ、及び高スループットアレイからなる群から選択される、少なくとも１つのアレイが含まれる、かつ／または
（ｂ）前記検出可能なアレイには、抗体アレイ、及びＥＬＩＳＡアレイ、ペプチドアレイ、タンパク質アレイ、ヌクレオチドアレイ、ヌクレオシドアレイ、ＲＮＡアレイ、ＤＮＡアレイ、ＤＮＡ−タンパク質アレイ、及び小分子アレイからなる群から選択される、少なくとも１つのアレイが含まれる、かつ／または
（ｃ）前記未標識検体は、対象の生体試料、インビトロ試料、環境試料、及び前述のもののうちの１つの少なくとも１つの成分のうちの１つ以上である、かつ／または
（ｄ）前記未標識検体は、血液、血清、血漿、尿、糞便、唾液、胆汁、脊髄液、腸液、胃液、涙、溶媒、及び乳のうちの少なくとも１つの成分である、
請求項１３に記載の前記方法。
【請求項１５】
（ａ）前記加熱により、非酵素的褐変反応を誘起し、好ましくは、前記非酵素的褐変反応は、メイラード反応及びカラメル化のうちの少なくとも１つである、かつ／または
（ｂ）加熱は、カラメル化及びメイラード反応のうちの１つ以上を誘起するのに十分な温度で十分な時間加熱することを含む、かつ／または
（ｃ）加熱は、約１２０℃〜約３００℃の温度で、約１分間〜約５分間加熱することを含む、
請求項１３〜１４のいずれかに記載の前記方法。
【手続補正２】
【補正対象書類名】明細書
【補正対象項目名】００１５
【補正方法】変更
【補正の内容】
【００１５】
別の実施形態において、未標識検体を検出する、標識を用いない方法は、未標識検体を
検出可能なアレイと接触させて、検体の少なくとも一部分を検出可能なアレイに固着させ
ることと、未標識検体がそこに固着した検出可能なアレイを加熱して、検体及び検出可能
なアレイのうちの少なくとも１つの変色を引き起こすことと、を含む。さらなる実施形態
において、検出可能なアレイには、分析的マイクロアレイ、逆相マイクロアレイ、機能性
マイクロアレイ、細胞含有マイクロアレイ、発現マイクロアレイ、及び高スループットア
レイからなる群から選択される、少なくとも１つのアレイが含まれる。なおもさらなる実
施形態において、検出可能なアレイには、抗体アレイ、及びＥＬＩＳＡアレイ、ペプチド
アレイ、タンパク質アレイ、ヌクレオチドアレイ、ヌクレオシドアレイ、ＲＮＡアレイ、
ＤＮＡアレイ、ＤＮＡ−タンパク質アレイ、及び小分子アレイからなる群から選択される
、少なくとも１つのアレイが含まれる。なおもさらなる実施形態において、未標識検体は
、対象の生体試料、インビトロ試料、環境試料、及び前述のもののうちの１つの少なくと
も１つの成分のうちの１つ以上である。別のさらなる実施形態において、未標識検体は、
血液、血清、血漿、尿、糞便、唾液、胆汁、脊髄液、腸液、胃液、涙、溶媒、及び乳のう
ちの少なくとも１つの成分である。なおも別のさらなる実施形態において、加熱により、
非酵素的褐変反応を誘起する。なおも別のさらなる実施形態において、非酵素的褐変反応
は、メイラード反応及びカラメル化のうちの少なくとも１つである。別の実施形態におい
て、加熱は、カラメル化及びメイラード反応のうちの１つ以上を誘起するのに十分な温度
で十分な時間加熱することを含む。なおも別の実施形態において、加熱は、約１２０℃〜
約３００℃の温度で、約１分間〜約５分間加熱することを含む。
本発明の実施形態において、例えば以下の項目が提供される。
（項目１）
検出可能なアレイであって、
１つ以上の検体に結合するための複数の表面を有する基質を備え、各表面が、独立して、
前記基質の前記表面に１つ以上の巨大分子を固定するための、前記表面上の１つ以上の基質コーティングと、
前記１つ以上の基質コーティングの少なくとも一部分に固着される１つ以上の巨大分子であって、あるパターンで前記基質コーティング上に配設され、複数の検体に結合するための複数の非偏向性結合部位を含む、前記１つ以上の巨大分子と、を含み、
前記複数の表面のそれぞれの前記１つ以上の基質コーティング上の前記１つ以上の巨大分子の同一性、パターン、または同一性及びパターンの両方が、前記複数の表面の任意の他のものの任意の他の基質コーティング上の前記１つ以上の巨大分子の同一性、パターン、または同一性及びパターンの両方と同一でなく、
前記複数の表面のそれぞれに結合する１つ以上の検体の存在または不在が、複数の検出方法によって検出可能である、前記検出可能なアレイ。
（項目２）
前記１つ以上の基質コーティングが、少なくとも１つのシランまたは少なくとも１つのシロキサンを含む、項目１に記載の前記検出可能なアレイ。
（項目３）
前記１つ以上の基質コーティングが、１つ以上のアクリロシロキサンを含む、項目１または２のいずれかに記載の前記検出可能なアレイ。
（項目４）
前記１つ以上の基質コーティングが、３−メタクリルオキシプロピルトリメトキシシラン、３−アクリルオキシプロピルトリメトキシシラン、Ｎ−（３−アクリルオキシ−２−ヒドロキシプロピル−３−アミノプロピルトリエトキシシラン、及び３−メタクリルオキシプロピルジメチルクロロシランのうちの１つ以上を含む、項目１〜３のいずれかに記載の前記検出可能なアレイ。
（項目５）
前記１つ以上の巨大分子が、ポリマー、界面活性剤、ナノスフェア、ナノチューブ、デンドリマー、ミクロスフェア、及び重合ミクロスフェアのうちの１つ以上を含む、項目１〜４のいずれかに記載の前記検出可能なアレイ。
（項目６）
前記１つ以上の巨大分子が、（メタ）アクリルアミド、（メタ）アクリレート、グリセロール、及びＮ，Ｎ’（アルキレン）ビスアクリルアミドのうちの１つ以上を含む、項目１〜５のいずれかに記載の前記検出可能なアレイ。
（項目７）
前記１つ以上の巨大分子が、少なくとも１つの共重合体を含む、項目１〜６のいずれかに記載の前記検出可能なアレイ。
（項目８）
前記１つ以上の巨大分子が、２−カルボキシエチルアクリレート、アクリル酸、アクリルアミド、ヒスタミンアクリレート（ｈｉｓｔａｍｉｎｅ  ａｃｒｙｌａｔｅ）、Ｎ−［トリス（ヒドロキシメチル）メチル］アクリルアミド、ヒドロキシプロピルアクリレート、４−ヒドロキシブチルアクリレート、Ｎ−ヒドロキシエチルアクリルアミド、Ｎ，Ｎ，−ジメチルアクリルアミド、Ｎ−（１，１−ジメチル（ｄｉｅｍｔｈｙｌ）−３−オキソブチル）アクリルアミド、Ｎ−イソプロピルアクリルアミド、エチレングリコールフェニルエーテルアクリレート、Ｎ，Ｎ’−メチレンビスアクリルアミド、１，１，１，３，３，３−ヘキサフルオロイソプロピルアクリレート、及びＮ−ｔｅｒｔ−オクチルアクリルアミドからなる群から選択される、１つ以上のモノマーを含む、項目１〜７のいずれかに記載の前記検出可能なアレイ。
（項目９）
前記１つ以上の巨大分子が、２−カルボキシエチルアクリレート、アクリル酸、アクリルアミド、ヒスタミンアクリレート、Ｎ−［トリス（ヒドロキシメチル）メチル］アクリルアミド、ヒドロキシプロピルアクリレート、４−ヒドロキシブチルアクリレート、Ｎ−ヒドロキシエチルアクリルアミド、Ｎ，Ｎ，−ジメチルアクリルアミド、Ｎ−（１，１−ジメチル（ｄｉｅｍｔｈｙｌ）−３−オキソブチル）アクリルアミド、Ｎ−イソプロピルアクリルアミド、エチレングリコールフェニルエーテルアクリレート、Ｎ，Ｎ’−メチレンビスアクリルアミド、１，１，１，３，３，３−ヘキサフルオロイソプロピルアクリレート、及びＮ−ｔｅｒｔ−オクチルアクリルアミドからなる群から選択される、２つ以上のモノマーを含む、項目１〜８のいずれかに記載の前記検出可能なアレイ。
（項目１０）
前記１つ以上の巨大分子が、少なくとも１つの架橋剤を含む、項目１〜９のいずれかに記載の前記検出可能なアレイ。
（項目１１）
前記１つ以上の巨大分子が、ビス−アクリルアミド、トリメチロールプロパントリアクリレート、ビスフェノールＡ−ビス（２−ヒドロキシプロピル）アクリレート、及び１−（アクリロイルオキシ）−３−（メタクリロイルオキシ）−３−メタクリロイルオキシ）−２−プロパノールのうちの少なくとも１つを含む、項目１〜１０のいずれかに記載の前記検出可能なアレイ。
（項目１２）
前記１つ以上の巨大分子が、複数の化学的に異なる巨大分子を含み、それぞれの化学的に異なる巨大分子が、前記基質の前記複数の表面の異なる表面に固着される、項目１〜１１のいずれかに記載の前記検出可能なアレイ。
（項目１３）
前記１つ以上の巨大分子が、少なくとも２つの化学的に異なる巨大分子を含み、それぞれの化学的に異なる巨大分子が、前記基質の前記複数の表面の異なる表面に固着される、項目１〜１２のいずれかに記載の前記検出可能なアレイ。
（項目１４）
前記１つ以上の巨大分子が、少なくとも１２個の化学的に異なる巨大分子を含み、それぞれの化学的に異なる巨大分子が、前記基質の前記複数の表面の異なる表面に固着される、項目１〜１３のいずれかに記載の前記検出可能なアレイ。
（項目１５）
前記１つ以上の巨大分子が、少なくとも７２個の化学的に異なる巨大分子を含み、それぞれの化学的に異なる巨大分子が、前記基質の前記複数の表面の異なる表面に固着される、項目１〜１４のいずれかに記載の前記検出可能なアレイ。
（項目１６）
前記１つ以上の巨大分子が、少なくとも９６個の化学的に異なる巨大分子を含み、それぞれの化学的に異なる巨大分子が、前記基質の前記複数の表面の異なる表面に固着される、項目１〜１５のいずれかに記載の前記検出可能なアレイ。
（項目１７）
前記１つ以上の巨大分子が、少なくとも２８８個の化学的に異なる巨大分子を含み、それぞれの化学的に異なる巨大分子が、前記基質の前記複数の表面の異なる表面に固着される、項目１〜１６のいずれかに記載の前記検出可能なアレイ。
（項目１８）
前記複数の検出方法には、メイラード反応、カラメル化、１つ以上のアミン反応性色素との反応、１つ以上のチオール反応性色素との反応、１つ以上の細胞性色素との反応、１つ以上のソルバトクロミック色素との反応、１つ以上の酸性指示薬との反応、１つ以上の塩基性指示薬との反応、１つ以上の標識抗体との反応、発光、表面性状分析、フォトスキャニング、顕微鏡法、反射または透過照明によるフォトスキャニング、反射または透過照明による写真撮影、質量分析法、及び分光法のうちの１つ以上が含まれる、項目１〜１７のいずれかに記載の前記検出可能なアレイ。
（項目１９）
前記基質が、ガラス、プラスチック、金属、複合材料、アクリル、または生物活性基質のうちの１つ以上を含む、項目１〜１８のいずれかに記載の前記検出可能なアレイ。
（項目２０）
前記１つ以上の巨大分子に結合する１つ以上の検体をさらに含む、項目１〜１９のいずれかに記載の前記検出可能なアレイ。
（項目２１）
前記１つ以上の巨大分子に結合する１つ以上の小分子、タンパク質、ペプチド、ヌクレオチド、ヌクレオシド、細菌、ウイルス、真菌細胞、動物細胞、または酵母細胞をさらに含む、項目１〜２０のいずれかに記載の前記検出可能なアレイ。
（項目２２）
疾患、障害、または状況を診断するためのシステムであって、
第１の検出可能なアレイまたはそれを表すものの１つ以上の画像を受信するための入力要素であって、前記第１の検出可能なアレイまたはそれを表すものは、項目２０〜２１のいずれかに記載の検出可能なアレイまたはそれを表すものである、入力要素と、
複数の第２の検出可能なアレイまたはそれを表すものの１つ以上の画像を含むデータベースであって、前記第２の検出可能なアレイまたはそれを表すものは、項目２０〜２１のいずれかに記載の検出可能なアレイまたはそれを表すものである、データベースと、  前記第１の検出可能なアレイまたはそれを表すものの前記１つ以上の画像を、前記複数の第２の検出可能なアレイまたはそれを表すものの前記１つ以上の画像と比較するための比較要素と、を備える、前記システム。
（項目２３）
前記複数の第２の検出可能なアレイまたはそれを表すもののそれぞれが、既知の疾患、障害、または状況状態を有する対象、インビトロ試料、または環境試料と関連付けられる、項目２２に記載の前記システム。
（項目２４）
前記第１の検出可能なアレイまたはそれを表すものが、未知の疾患、障害、または状況状態を有する対象、インビトロ試料、または環境試料と関連付けられる、項目２２〜２３のいずれかに記載の前記システム。
（項目２５）
前記比較要素は、未知の疾患状態を有する対象、インビトロ試料、または環境試料の疾患状態を予測することができる、項目２２〜２４のいずれかに記載の前記システム。
（項目２６）
前記第１の検出可能なアレイまたはそれを表すものの前記１つ以上の画像が、擬似カラー画像である、項目２２〜２５のいずれかに記載の前記システム。
（項目２７）
前記第１の検出可能なアレイまたはそれを表すものの前記１つ以上の画像が、前記基質の前記複数の表面の蛍光、リン光、性状、粗さ、色、紫外線吸収、赤外線吸収、色、または前述のものの１つ以上の欠如のうちの１つ以上を表す、項目２２〜２６のいずれかに記載の前記システム。
（項目２８）
対象、インビトロ試料、または環境試料における疾患、障害、または状況状態を判定する方法であって、
項目１〜２１のいずれかに記載の第１の検出可能なアレイを、前記対象、インビトロ試料、または環境試料と関連付けられた１つ以上の検体と接触させることを含む、前記方法。
（項目２９）
接触させるステップが、前記第１の検出可能なアレイを、前記対象の１つ以上の生体試料と接触させることを含む、項目２８に記載の前記方法。
（項目３０）
前記接触させるステップが、前記第１の検出可能なアレイを、前記対象の血液、血清、血漿、尿、糞便、唾液、胆汁、脊髄液、腸液、胃液、涙、溶媒、及び乳、インビトロ試料、または環境試料のうちの少なくとも１つと接触させることを含む、項目２８〜２９のいずれかに記載の前記方法。
（項目３１）
前記接触させるステップが、前記第１の検出可能なアレイを、前記対象の血漿及び尿のうちの１つ以上と接触させることを含む、項目２８〜３０のいずれかに記載の前記方法。
（項目３２）
前記対象、インビトロ試料、または環境試料と関連付けられた前記１つ以上の検体を得ることをさらに含む、項目２８〜３１のいずれかに記載の前記方法。
（項目３３）
前記対象、インビトロ試料、または環境試料と関連付けられた前記１つ以上の検体を検出することをさらに含む、項目２８〜３２のいずれかに記載の前記方法。
（項目３４）
前記検出可能なアレイまたはそれを表す１つ以上のものの１つ以上の画像を作製することをさらに含む、項目２８〜３３のいずれかに記載の前記方法。
（項目３５）
前記検出可能なアレイを加熱すること、前記１つ以上の検体のうちの少なくとも１つのメイラード反応を引き起こすこと、前記１つ以上の検体のうちの少なくとも１つをカラメル化すること、前記１つ以上の検体のうちの少なくともを１つ以上のアミン反応性色素と反応させること、前記１つ以上の検体のうちの少なくとも１つを１つ以上のチオール反応性色素と反応させること、前記１つ以上の検体のうちの少なくともを１つ以上のソルバトクロミック色素と反応させること、前記１つ以上の検体のうちの少なくとも１つを１つ以上の細胞性色素と反応させること、前記１つ以上の検体のうちの少なくとも１つを１つ以上の標識抗体と反応させること、前記１つ以上の検体のうちの少なくともを１つ以上の酸性指示薬と反応させること、前記１つ以上の検体のうちの少なくともを１つ以上の塩基性指示薬と反応させること、前記検出可能なアレイの発光またはその不在を検出すること、表面性状分析、フォトスキャニング、顕微鏡法、反射または透過照明を用いたフォトスキャニング、反射または透過照明を用いた写真撮影、質量分析法、及び分光法のうちの１つ以上をさらに含む、項目２８〜３４のいずれかに記載の前記方法。
（項目３６）
項目１〜２１のいずれかに記載の検出可能なアレイを作製する方法であって、
前記基質の前記複数の表面を、少なくとも１つの基質コーティングで独立してコーティングして、複数の独立してコーティングされた表面を形成することと、
少なくとも１つの巨大分子または１つ以上のその前駆体を、前記独立してコーティングされた表面のそれぞれに、独立して固着させることと、を含む、方法。
（項目３７）
前記独立してコーティングされる表面のうちの少なくとも１つに、前記１つ以上の前駆体のうちの少なくとも１つを重合させることをさらに含む、項目３６に記載の前記方法。
（項目３８）
前記１つ以上の前駆体にマイクロ波、紫外線光（ｕｌｔｒａｖｉｏｌｅｒｔ  ｌｉｇｈｔ）、可視光、及び熱からなる群から選択される電磁放射線、音、または化学開始剤のうちの１つ以上を適用することによって、前記１つ以上の前駆体のうちの少なくとも１つの重合を開始することをさらに含む、項目３６〜３７のいずれかに記載の前記方法。
（項目３９）
未標識検体を検出する、標識を用いない方法であって、
前記未標識検体を検出可能なアレイと接触させて、前記検体の少なくとも一部分を前記検出可能なアレイに固着させることと、
未標識検体がそこに固着された前記検出可能なアレイを加熱して、前記検体及び前記検出可能なアレイのうちの少なくとも１つの変色をもたらすことと、を含む、前記方法。
（項目４０）
前記検出可能なアレイには、分析的マイクロアレイ、逆相マイクロアレイ、機能性マイクロアレイ、細胞含有マイクロアレイ、発現マイクロアレイ、及び高スループットアレイからなる群から選択される、少なくとも１つのアレイが含まれる、項目３９に記載の前記方法。
（項目４１）
前記検出可能なアレイには、抗体アレイ、及びＥＬＩＳＡアレイ、ペプチドアレイ、タンパク質アレイ、ヌクレオチドアレイ、ヌクレオシドアレイ、ＲＮＡアレイ、ＤＮＡアレイ、ＤＮＡ−タンパク質アレイ、及び小分子アレイからなる群から選択される、少なくとも１つのアレイが含まれる、項目３９〜４０のいずれかに記載の前記方法。
（項目４２）
前記未標識検体は、対象の生体試料、インビトロ試料、環境試料、及び前述のもののうちの１つの少なくとも１つの成分のうちの１つ以上である、項目３９〜４１のいずれかに記載の前記方法。
（項目４３）
前記未標識検体は、血液、血清、血漿、尿、糞便、唾液、胆汁、脊髄液、腸液、胃液、涙、溶媒、及び乳のうちの少なくとも１つの成分である、項目３９〜４２のいずれかに記載の前記方法。
（項目４４）
前記加熱により、非酵素的褐変反応を誘起する、項目３９〜４３のいずれかに記載の前記方法。
（項目４５）
前記非酵素的褐変反応は、メイラード反応及びカラメル化のうちの少なくとも１つである、項目４４に記載の前記方法。
（項目４６）
加熱は、カラメル化及びメイラード反応のうちの１つ以上を誘起するのに十分な温度で十分な時間加熱することを含む、項目３９〜４５のいずれかに記載の前記方法。
（項目４７）
加熱は、約１２０℃〜約３００℃の温度で、約１分間〜約５分間加熱することを含む、項目３９〜４６のいずれかに記載の前記方法。